(57)【要約】      （修正有）【課題】水の自然蒸発によって室内などを加湿する自然気化式加湿器において、自然気化式加湿器用揚水性シートに吸い上げた水の自然蒸発性が高く、また自然気化式加湿器用揚水性シートを折り曲げて複数の加湿片に形成する作業が不要な自然気化式加湿器用揚水性シートおよび自然気化式加湿器を提供する。【解決手段】揚水性素材からなり、かつ上部には吸い上げた水を表面から自然気化し、かつ中央部に表裏面を貫通した通気穴を有する加湿部１２が設けられ、下部には容器内の水に浸けられる浸水部が設けられた自然気化式加湿器用揚水性シート１０、およびこれを用いた自然気化式加湿器Ａ。【選択図】図１
0003180753.tif 000002
【実用新案登録請求の範囲】
【請求項１】
揚水性素材からなり、かつ上部には吸い上げた水を表面から自然気化し、かつ中央部に表裏面を貫通した通気穴を有する加湿部が設けられ、下部には容器内の水に浸けられる浸水部が設けられたことを特徴とする自然気化式加湿器用揚水性シート。
【請求項２】
全体視して矩形状を有した請求項１に記載の自然気化式加湿器用揚水性シート。
【請求項３】
上記通気穴が、上記加湿部に１つまたは２つ以上形成された請求項１または請求項２に記載の自然気化式加湿器用揚水性シート。
【請求項４】
上記通気穴の形状は円形状またはしずく形状である請求項１〜請求項３のうち、何れか１項に記載の自然気化式加湿器用揚水性シート。
【請求項５】
上記加湿部の両側端部には、上記容器の上縁に掛止され、かつ下端角部が鈍角となった一対の掛止凸部が形成された請求項１〜４のうち、何れか１項に記載の自然気化式加湿器用揚水性シート。
【請求項６】
上記一対の掛止凸部の突出幅が、上記容器の上縁の幅と同一である請求項５に記載の自然気化式加湿器用揚水性シート。
【請求項７】
請求項１〜６のいずれか１項に記載の自然気化式加湿器用揚水性シートと、
該自然気化式加湿器用揚水性シートの浸水部を浸す水を貯めて、該自然気化式加湿器用揚水性シートを立ち上げ状態で掛止する掛止溝が内面に形成された容器とを備えたことを特徴とする自然気化式加湿器。
【請求項８】
上記容器は矩形容器で、
上記自然気化式加湿器用揚水性シートは複数枚を使用し、
上記掛止溝は、上記容器の長さ方向の両側面に所定ピッチで複数形成された請求項７に記載の自然気化式加湿器。
【請求項９】
上記複数枚の自然気化式加湿器用揚水性シートには、形成数および形状のうち、少なくとも１つが互いに異なる上記通気穴がそれぞれ形成された請求項８に記載の自然気化式加湿器。
【請求項１０】
複数枚の上記自然気化式加湿器用揚水性シートは、上記浸水部の両側端部が複数の上記掛止溝にそれぞれ掛止され、
該複数の掛止溝は、上記容器の高さ方向に延びた溝であって、該容器の長辺側の両側板の内面に、該容器の長さ方向に所定ピッチでそれぞれ形成されている請求項８または請求項９に記載の自然気化式加湿器。
【請求項１１】
上記複数の掛止溝の上端部には、上方に向かって徐々に幅広となる上記自然気化式加湿器用揚水性シートの挿入ガイド溝部がそれぞれ形成された請求項１０に記載の自然気化式加湿器。
【請求項１２】
複数枚の上記自然気化式加湿器用揚水性シートは、上記浸水部の下端部が複数の上記掛止溝にそれぞれ掛止され、
該複数の上記掛止溝は、上記容器の幅方向に延びた溝であって、該容器の底板の内面に、該容器の長さ方向に所定ピッチでそれぞれ形成されている請求項８または請求項９に記載の自然気化式加湿器。
【考案の詳細な説明】
【技術分野】
【０００１】
本考案は、水の自然蒸発によって加湿する自然気化式加湿器用揚水性シートおよびこれを用いた自然気化式加湿器に関する。
【背景技術】
【０００２】
従来、紙、不織布などが有する毛細管現象を利用し、加湿容器内の水を自然気化することで、室内や車内の乾燥を防ぐ自然気化式加湿器が知られている（例えば、特許文献１など）。特許文献１の加湿器は、揚水性シートを所定形状に折り曲げて複数の加湿片を形成する。具体的には、特許文献１の図１および図２に示すように、揚水性シートを、その中央折曲げ部を中心に二つに折り曲げ、中央折曲げ部の両端を除いた中間部に中央スリットを形成し、中央折曲げ部に直角方向に平行な複数の区画折曲げ部を中心にしてこれを折り曲げることで、複数の加湿片を形成している。得られた加湿器は、水を入れたコップやトレイなどの容器に立てて使用している。
【０００３】
しかしながら、特許文献１の加湿器の揚水性シートは、通気穴が存在しないシートから形成されている。そのため、揚水性シートに正面から衝突した風は、衝突することで流速が低下することになる。特に、シート中央部に衝突した風はその低下が著しく、毛細管現象により揚水性シートに吸い上げられた水の蒸発量は、シート外周部に比べてシート中央部の方が大きく低下する。
また、複数枚の同一形状の揚水性シートを、風に表面を正対した状態で加湿容器に平行に離間配置した場合、最も風上の揚水性シートのみに風が当たり、２枚目以降の揚水性シートにはほとんど風が当たらず、風による水分の蒸発量の増大を図ることができない。
さらに、特許文献１の加湿器は、このように所定形状に折り曲げて形成された複数の加湿片を有する揚水性シートを、水を入れたコップやトレイなどに下部を差し込んで立てて使用している。そのため、揚水性シートを折り曲げて複数の加湿片に形成する作業が面倒である。しかも、折り曲げる揚水部が不安定で、せっかく加湿器を所望の形状に付形しても、使用中、手が触れるなどのわずかな衝撃で変形しやすい。
【先行技術文献】
【特許文献】
【０００４】
【特許文献１】特開２００７−１０７７６８号公報
【考案の概要】
【考案が解決しようとする課題】
【０００５】
本考案は、上記問題点に鑑みてなされたもので、水の自然蒸発によって室内などを加湿する自然気化式加湿器において、揚水性シートに吸い上げた水の自然蒸発性が高く、また揚水性シートを折り曲げて複数の加湿片に形成する作業が不要な自然気化式加湿器用揚水性シートを提供することを目的とする。
また、本考案は、揚水性シートに吸い上げた水の自然蒸発性が高く、また揚水性シートを折り曲げて複数の加湿片に形成する作業が不要で、揚水性シートの外観形状の自由度を高めた自然気化式加湿器を提供することを目的とする。
【課題を解決するための手段】
【０００６】
本考案は、揚水性素材からなり、かつ上部には吸い上げた水を表面から自然気化し、かつ中央部に表裏面を貫通した通気穴を有する加湿部が設けられ、下部には容器内の水に浸けられる浸水部が設けられたことを特徴とする自然気化式加湿器用揚水性シートである（第１の考案）。
【０００７】
また、本考案は、全体視して矩形状を有した自然気化式加湿器用揚水性シートである（第２の考案）。
【０００８】
また、本考案は、上記通気穴が、上記加湿部の中央部に１つまたは２つ以上形成された自然気化式加湿器用揚水性シートである（第３の考案）。
【０００９】
また、本考案は、上記通気穴の形状は円形状またはしずく形状である自然気化式加湿器用揚水性シートである（第４の考案）。
【００１０】
また、本考案は、上記加湿部の両側端部には、上記容器の上縁に掛止され、かつ下端角部が鈍角となった一対の掛止凸部が形成された自然気化式加湿器用揚水性シートである（第５の考案）。
【００１１】
また、本考案は、上記一対の掛止凸部の突出幅が、上記容器の上縁の幅と同一である自然気化式加湿器用揚水性シート（第６の考案）である。
【００１２】
また、本考案は、上記第１〜６の考案のいずれかの自然気化式加湿器用揚水性シートと、該自然気化式加湿器用揚水性シートの浸水部を浸す水を貯めて、該自然気化式加湿器用揚水性シートを立ち上げ状態で掛止する掛止溝が内面に形成された容器とを備えたことを特徴とする自然気化式加湿器である（第７の考案）。
【００１３】
また、本考案は、上記容器は矩形容器で、上記自然気化式加湿器用揚水性シートは複数枚を使用し、上記掛止溝は、上記容器の長さ方向の両側面に所定ピッチで複数形成された第７の考案の自然気化式加湿器である（第８の考案）。
【００１４】
また、本考案は、上記複数枚の自然気化式加湿器用揚水性シートには、形成数および形状のうち、少なくとも１つが互いに異なる上記通気穴がそれぞれ形成された自然気化式加湿器である（第９の考案）。
【００１５】
また、本考案は、複数枚の上記自然気化式加湿器用揚水性シートは、上記浸水部の両側端部が複数の上記掛止溝にそれぞれ掛止され、該複数の掛止溝は、上記容器の高さ方向に延びた溝であって、該容器の長辺側の両側板の内面に、該容器の長さ方向に所定ピッチでそれぞれ形成されている自然気化式加湿器である（第１０の考案）。
【００１６】
また、本考案は、上記複数の掛止溝の上端部には、上方に向かって徐々に幅広となる上記自然気化式加湿器用揚水性シートの挿入ガイド溝部がそれぞれ形成された自然気化式加湿器である（第１１の考案）。
【００１７】
また、本考案は、複数枚の上記自然気化式加湿器用揚水性シートは、上記浸水部の下端部が複数の上記掛止溝にそれぞれ掛止され、該複数の上記掛止溝は、上記容器の幅方向に延びた溝であって、該容器の底板の内面に、該容器の長さ方向に所定ピッチでそれぞれ形成されている自然気化式加湿器である（第１２の考案）。
【考案の効果】
【００１８】
本考案によれば、水を貯めた容器に自然気化式加湿器用揚水性シート（以下「揚水性シート」という場合がある）を立ち上げた状態で掛止し、表面に正対して風を揚水性シートに吹き付けた場合、従来品では、加湿部の中央部に貫通穴が存在しないため、この中央部に衝突した風の速度が著しく低下し、加湿部の中央部からの水の自然蒸発量が、加湿部の外周部に比べて低下する。これに対して、本考案では、加湿部の中央部に通気穴を形成したため、加湿部に向かう風の一部がこの通気穴を通過し、これにより通気穴の周縁部の裏面一帯が負圧化する。これに伴い、この負圧領域で空気の渦列が発生し、これによって、加湿部の通気穴の形成部付近からの水の自然蒸発量が増加する。
また、揚水性シートは、折り曲げることなく単板（１枚シート）のまま容器の掛止溝に立ち上げ状態で掛止するため、従来品のように揚水性シートを折り曲げて複数の加湿片に形成する作業が不要となる。
さらに、本考案の自然気化式加湿器は、揚水性シートからの水分の蒸発量が多くなるので、加湿器自体を小型化することができる。
【図面の簡単な説明】
【００１９】
【図１】本考案の実施例１に係る自然気化式加湿器の使用状態を示す斜視図である。
【図２】本考案の実施例１に係る自然気化式加湿器用の容器の平面図である。
【図３】図２のＳ３−Ｓ３断面図である。
【図４】本考案の実施例１に係る第１の自然気化式加湿器用揚水性シートの正面図である。
【図５】本考案の実施例１に係る第２の自然気化式加湿器用揚水性シートの正面図である。
【図６】本考案の実施例１に係る第３の自然気化式加湿器用揚水性シートの正面図である。
【図７】本考案の実施例１に係る第４の自然気化式加湿器用揚水性シートの正面図である。
【図８】本考案の実施例１に係る第５の自然気化式加湿器用揚水性シートの正面図である。
【図９】本考案の実施例１に係る第６の自然気化式加湿器用揚水性シートの正面図である。
【図１０】本考案の実施例１に係る第７の自然気化式加湿器用揚水性シートの正面図である。
【考案を実施するための形態】
【００２０】
揚水性素材、自然気化式加湿器用揚水性シート（揚水性素材）
ここで、揚水性素材とは、毛細管現象により、水を継続的に揚水できる素材を示し、毛細管現象により水を継続的に揚水できるものであれば、その素材は特に限定されるものではない。揚水性素材としては、例えば合成繊維製の布帛、多孔質性のセラミックス、木などの剛体の他、軟質発泡性合成樹脂などの多孔質体などを採用することができる。
【００２１】
＜自然気化式加湿器用揚水性シート＞
また、揚水性シートとは、毛細管現象により、水を継続的に揚水できる平面型のシートを示す。ここでいう平面型のシートとは、折り曲げたりしない平坦な１枚シート（板）の揚水性シートをいう。
揚水性シートの素材としては、例えば紙、布帛（織布、不織布、編布）、スポンジシートなどを採用することができる。具体的には、ポリエステル繊維、ポリアミド繊維、ポリオレフィン系繊維、塩化ビニル系繊維、芯―鞘型あるいはサイド・バイ・サイド型の熱接着性複合繊維などの合成繊維や、レーヨン繊維などからなる乾式不織布にカレンダー加工、エンボス加工、プレス加工あるいは樹脂加工を施した厚手のシートなどを好適に採用することができる。揚水性シートには、水を吸着したままでも雑菌やカビ等が発生しないように抗菌カビ剤を不織布繊維に混合することが望ましい。シートの繊維構造は、不織布に限定されるものではなく、例えば織物に樹脂加工を施した揚水性のシートであってもよく、いずれにせよ、毛細管現象により、水を継続的に揚水できるものであれば限定されない。揚水性シートの色は任意である。例えば、緑色、灰色、ピンク色などが挙げられる。
【００２２】
揚水性シートとしては、上部には加湿部が設けられ、かつ下部には浸水部が設けられた自然気化式加湿器に用いられるものを採用することができる。加湿部の両側端部には、容器の上縁に掛止された一対の掛止凸部を形成してもよい。掛止凸部を容器の上縁に掛止することで、容器に差し立てた揚水性シートの安定性が高まる。掛止凸部の形成範囲は、加湿部の両側端部の長さ方向の全長にわたっても、その下端部のみでもよい。また、各掛止凸部の下端角部は鈍角としたが望ましい。これは、長期間の使用により加湿部が水を吸収して膨潤しても、例えば下端角部を直角や鋭角とした場合にくらべて、下端角部の先端部の破損がしにくく、この部分の保形成が高まる。掛止凸部の突出幅は任意であるものの、容器の上縁の幅と同一とした方が、容器に揚水性シートを差し立てたとき、この掛止凸部が障害物などに衝突して破損し難く、かつ容器と揚水性シートとが段差なく連続するため、自然気化式加湿器の全体としてのデザイン性を高めることができる。もちろん、掛止凸部は加湿部に形成しなくてもよい。
【００２３】
揚水性シートは、容器の内面に形成された掛止溝に差し立てても、容器内に剣山状の揚水性シート固定具を設け、これに揚水性シートを着脱自在に差し立ててもよい。ここでいう揚水性シート固定具とは、室内や車内などの空気を加湿する揚水性シートを、凹凸掛止部を介して、簡単に固定（掛止）または固定解除（外す）することができる部材をいう。揚水性シート固定具は、容器の底板に一体的に形成されたものでも、容器とは別体で、底板に載置されるものでもよい。揚水性シートとしては、矩形板（矩形カード）状のものなどを採用することができる。
【００２４】
＜通気穴＞
加湿部の中央部には、表裏面を貫通して通気穴が形成されている。通気穴の形成数は、１つでも２つ以上でもよい。２つ以上の場合、各通気穴は所定間隔をあけて離間配置される。通気穴は、少なくとも１つが加湿部のほぼ中央部に形成されていればよく、加湿部の外周部に一部の通気穴が存在してもよい。通気穴の形状としては、例えば円形状またはしずく形状を採用することができる。その他、四角形、楕円形、三角形状の多角形、星形などの任意形状でもよい。
【００２５】
容器
ここでいう「容器」とは、揚水性シートを差し立てる貯水用のものである。容器の素材としては、例えば各種の金属、各種の合成樹脂、各種の木材、各種のセラミックスなどを採用することができる。また、容器を上面視した形状は、例えば円形、楕円形、三角形および四角形以上の多角形など任意である。このうち、揚水性シートが矩形板の場合、平面視して矩形状の容器の方が掛止溝を介して差し立てるのに好ましい。自然気化式加湿器を使用する場合、容器に貯水され、これに掛止溝を介して差し立てられた揚水性シートの浸水部が水と接触する。
容器に差し立てる揚水性シートの枚数は、１枚でも２枚以上でもよい。複数枚の揚水性シートを容器に差し立てる場合、それぞれの揚水性シートは、互いに離間配置される。しかも、各揚水性シートに形成される通気穴は、形成数および形状のうち、少なくとも１つが互いに異なるものをそれぞれ形成した方が好ましい。このようにすれば、容器の長さ方向の一方から風が吹いたとき、風は風上（上流）から風下に存在するすべての揚水性シートの挿通穴を直線的に素通りすることなく、その一部が各揚水性シートの表面に衝突しながら、順次、それぞれの通気穴を通り抜けて行く。その結果、各揚水性シートにおいて、吸い上げられた水の自然蒸発量をさらに増大させることができる。
【００２６】
＜掛止溝＞
掛止溝としては、例えば、矩形状容器の高さ方向に延び、かつ容器の長辺側の両側板の内面に、容器の長さ方向に所定ピッチで形成されたものを採用することができる。その他、容器の幅方向に延び、かつ容器の底板の内面に、容器の長さ方向に所定ピッチで形成された溝を採用することができる。掛止溝は、容器の長辺側の両側板の内面のみ、または容器の底板の内面のみに形成しても、これらの両方に形成してもよい。掛止溝の溝幅は、例えば浸水部の厚さと略同一で、揚水性シートを充分に掛止できる幅が好ましい。
各掛止溝の上端部には、上方に向かって徐々に幅広となる揚水性シートの挿入ガイド溝部を形成してもよい。その際、挿入ガイド溝部の大きさや、上方に向かって徐々に広がる挿入ガイド溝部の角度は任意である。
ここでは、少なくとも揚水性シートと貯水用の容器とを含むものを「自然気化式加湿器」という。
【実施例】
【００２７】
実施例１
以下、本考案の実施例１に係る自然気化式加湿器用揚水性シートを説明する。
図１〜図３において、１０は本考案の実施例１に係る自然気化式加湿器用揚水性シート（以下、揚水性シート）であり、容器１１とともに自然気化式加湿器Ａを構成する。揚水性シート１０は、揚水性素材からなり、かつ上部には吸い上げた水を表面から自然気化する加湿部１２が設けられ、下部には浸水部１３が設けられている。自然気化式加湿器Ａとして使用する際、揚水性シート１０は、容器１１の内面に形成された掛止溝１４を介して、容器１１内に立ち上げ（垂直）状態で掛止される。
【００２８】
以下、これらの構成部品を詳細に説明する。
図１および図４〜図１０に示すように、揚水性シート１０は、表裏面がプレス加工された合成繊維不織布（揚水性素材）からなり、縦長な略矩形状にカットされた厚さ０．７ｍｍの複数枚（ここでは７枚）のシートである。１枚目の揚水性シート１０Ａの加湿部１２の中央部には、大型のしずく形状の通気穴１５Ａが１つ形成され（図４）、２枚目の揚水性シート１０Ｂの加湿部１２の中央部には、中型のしずく形状の通気穴１５Ｂが縦に２つ形成され（図５）、３枚目の揚水性シート１０Ｃの加湿部１２の中央部には、小型のしずく形状の通気穴１５Ｃが縦に一定ピッチで３つ形成され（図６）、４枚目の揚水性シート１０Ｄの加湿部１２の中央部には、小型の円形の通気穴１５Ｄが上下左右に４つ等間隔に離間して形成され（図７）、５枚目の揚水性シート１０Ｅの加湿部１２の中央部には、大型の円形の通気穴１５Ｅがサイコロの５の目状に５つ形成され（図８）、６枚目の揚水性シート１０Ｆの加湿部１２の中央部には、大型の円形状の通気穴１５Ｆが縦横３つずつ等間隔に離間して形成され（図９）、７枚目の揚水性シート１０Ｇの加湿部１２の中央部には、小型の円形状の通気穴１５Ｇが内円４つ外円８つ（合計１２個）で等間隔に離間して形成されている（図１０）。このうち、揚水性シート１０Ａ，１０Ｄ，１０Ｆは緑色で、残り４枚は灰色である。
【００２９】
各加湿部１２の両側端部には、その長さ方向（高さ方向）の全長にわたって、上方に向かうほど徐々に先細り化し、かつ下端部が容器１１の上縁に掛止される一対の掛止凸部１６が、同一素材で形成されている。両掛止凸部１６を容器１１の上縁に掛止することで、容器１１に差し立てた各揚水性シート１０Ａ〜１０Ｇの安定性が高まる。また、各掛止凸部１６の下端角部は１２０°の鈍角となっている（図４および図５）。このように構成することで、長期間の使用により加湿部１２が水を吸収して膨潤しても、下端角部１６ａを直角や鋭角とした場合に比べて、下端角部１６ａの先端部の破損（欠損など）がし難くなり、この部分の保形成が高まる。また、各掛止凸部１６の突出幅は容器１１の上縁の幅とほぼ同一である。これにより、各揚水性シート１０Ａ〜１０Ｇを容器１１に差し立てたとき、これらの掛止凸部１６が障害物などに衝突して破損し難くなり、かつ容器１１と各揚水性シート１０Ａ〜１０Ｇとが段差なく連続するため、自然気化式加湿器Ａの全体としてのデザイン性が高まる。また、浸水部１３の幅は、容器１１の内部空間の幅と略同一である。
【００３０】
図２および図３に示すように、容器１１は、平面視して横長な矩形状の深めのプラスチック容器である。この容器１１は上記揚水性シート１０とともに、自然気化式加湿器Ａを構成する。
容器１１の長辺側の両側板１７の上縁は、それぞれ両端部を除いて段差状に切欠されている。また、容器１１の底板１８の四隅には、厚肉な台部１９がそれぞれ一体成形されている。
容器１１の長辺側の両側板１７の内面には、容器１１の高さ方向に延び、かつ、容器１１の長さ方向に所定ピッチで上記７本の掛止溝１４が、それぞれ対向状態で形成されている。各掛止溝１４の溝幅は、各揚水性シート１０Ａ〜１０Ｇの浸水部１３の厚さと略同一で、揚水性シート１０Ａ〜１０Ｇを充分に掛止できる幅である。また、各掛止溝１４の上端部には、上方に向かって徐々に幅広となる揚水性シート１０Ａ〜１０Ｇの挿入ガイド溝部１４ａが形成されている。これにより、各揚水性シート１０Ａ〜１０Ｇを容器１１に差し立てる際、対応する掛止溝１４に浸水部１３を差し込み易い。
【００３１】
次に、図１〜図１０を参照して、本考案の実施例１の揚水性シート１０につき、自然気化式加湿器Ａとして使用する際の方法を説明する。
図１に示すように、水を貯めた容器１１に第１〜第７の揚水性シート１０Ａ〜１０Ｇを図１中の右側から順に、７本の掛止溝１４にそれぞれ所定ピッチで差し立てる。ただし、揚水性シート１０Ａ〜１０Ｇの配列順は任意である。このとき、各揚水性シート１０Ａ〜１０Ｇは、対向する表裏面を平行にした縦列状態となる。
この状態で、仮に右から左に風が吹いた場合、風は第１の揚水性シート１０Ａの表面に対して正面から吹き付けられる。従来品では、加湿部の中央部に通気穴が存在しないため、この中央部に衝突した風の速度が著しく低下し、加湿部の中央部からの水の自然蒸発量が、加湿部の外周部に比べて低下していたが、実施例１では、各加湿部１２の中央部に所定数の通気穴１５Ａ〜１６Ｇが形成されているため、各加湿部１２に向かう風の一部がこれらの通気穴１５Ａ〜１６Ｇを通過し、各通気穴１５Ａ〜１６Ｇの周縁部の裏面一帯に負圧領域が発生する。これに伴い、これらの負圧領域で空気の渦列が発生し、その結果、各加湿部１２の通気穴１５Ａ〜１６Ｇの形成部付近からの水の自然蒸発量が増加する。
また、加湿部１２に向かう風が、容器１１の手前から奥側、あるいは奥側から手前側に流れた場合には、各揚水性シート１０の間を通るので、当該各揚水性シートからの水の自然蒸発量が増大する。
【００３２】
また、各揚水性シート１０Ａ〜１０Ｇを容器１１に差し立てるとき、それぞれの揚水性シート１０Ａ〜１０Ｇは、互いに離間配置される。しかも、各揚水性シート１０Ａ〜１０Ｇに形成される通気穴１５Ａ〜１６Ｇは、形成数および形状のうち、少なくとも１つが互いに異なっている。このようにすれば、容器１１の長さ方向の一方から風が吹いたとき、風は風上（上流）から風下に存在するすべての揚水性シート１０Ａ〜１０Ｇの通気穴１５Ａ〜１６Ｇを直線的に素通りすることなく、その一部が各揚水性シート１０Ａ〜１０Ｇの表面に衝突しながら、順次、それぞれの通気穴１５Ａ〜１６Ｇを通り抜けて行く。その結果、各揚水性シート１０Ａ〜１０Ｇにおいて、吸い上げられた水の自然蒸発量をさらに増大させることができる。なお、無風状態では、従来の揚水性シートの場合と同様にして、加湿部１２の表裏面から水が自然蒸発する。
さらに、各揚水性シート１０Ａ〜１０Ｇは、折り曲げることなく単板（１枚シート）のまま容器１１の各掛止溝１４に立ち上げ状態で掛止されているため、従来品のように揚水性シートを折り曲げて複数の加湿片に形成する作業が不要となる。
【産業上の利用可能性】
【００３３】
本考案は、ホテルの客室や楽器の保管場所などの空間を加湿するための自然気化式加湿器用揚水性シートとして有用である。本考案の自然気化式加湿器用揚水性シートは、容器とともに、自然気化式加湿器として用いられる。
【符号の説明】
【００３４】
１０、１０Ａ〜１０Ｇ  自然気化式加湿器用揚水性シート
１１  容器
１２  加湿部
１３  浸水部
１４  掛止溝
１４ａ  挿入ガイド溝部
１５Ａ〜１５Ｇ  通気穴
１６  掛止凸部
１６ａ  下端角部
Ａ  自然気化式加湿器
【図１】
0003180753.tif 000003
【図２】
0003180753.tif 000004
【図３】
0003180753.tif 000005
【図４】
0003180753.tif 000006
【図５】
0003180753.tif 000007
【図６】
0003180753.tif 000008
【図７】
0003180753.tif 000009
【図８】
0003180753.tif 000010
【図９】
0003180753.tif 000011
【図１０】
0003180753.tif 000012